(57)【要約】【課題】フロアコネクタを保護して組付体を着脱する際に確実なコネクタ接続を簡単に行うことができるコネクタ構造を提供する。【解決手段】フロアコネクタ１１の嵌合口１３を閉塞するようにフロアコネクタ１１のコネクタハウジングに係止されている端子カバー１７は、端子１４を挿通させる挿通孔１８を有し、挿通孔１８に端子１４を挿通させつつ端子１４の延在方向に進退可能にハウジングに支持されており、コンソールボックス４０に設けられた相手側コネクタ１２が、端子カバー１７の係止を解除する解除部材１９を有し、コンソールボックス４０がフロア１へ組み付けられる際に、解除部材１９で端子カバー１７の係止を解除すると共に端子カバー１７を押圧して端子カバー１７を移動させることによって挿通孔１８を通して端子１４を露呈させ、収容した相手側端子１６をフロアコネクタ１１の露呈した端子１４に接続させる。【選択図】図１
2008192515.tif 000002
【特許請求の範囲】
【請求項１】
車両のフロアに設けられたフロアコネクタと、前記フロアに着脱可能に組み付けられる組付体に設けられた相手側コネクタと、を備え、
前記組付体の前記フロアへの組み付けに伴って、前記フロアコネクタと前記相手側コネクタとが自動的に接続されるコネクタ構造であって、
前記フロアコネクタが、端子を収容したハウジングと、端子カバーと、を含み、
前記端子カバーが、前記端子を挿通させる挿通孔を有し、前記挿通孔に前記端子を挿通させつつ前記端子の延在方向に進退可能に前記ハウジングに支持されて前記ハウジングの嵌合口を閉塞するように前記ハウジングに係止されており、
前記相手側コネクタが、前記端子カバーの係止を解除する解除部材を有し、前記組付体が前記フロアへ組み付けられる際に、前記解除部材で前記端子カバーの係止を解除すると共に前記端子カバーを押圧して前記端子カバーを移動させることによって前記挿通孔を通して前記端子を露呈させ、収容した相手側端子を前記フロアコネクタの露呈した前記端子に接続させることを特徴とするコネクタ構造。
【発明の詳細な説明】
【技術分野】
【０００１】
本発明は、車両のフロアに設けられたフロアコネクタと、当該フロアに着脱可能に組付けられるシートやコンソールボックス等の組付体に設けられた相手側コネクタと、の接続にかかるコネクタ構造に関する。
【背景技術】
【０００２】
近年、自動車には電動シート装置などの組付体が搭載されており、その電動シート装置が、着脱自在にされて、室内用として使用できるとともに室外に移動させて単独で使用できるようになっているものがある（例えば、特許文献１参照）。
【０００３】
図７に示すように、特許文献１に開示された電動シート装置１００での電源供給や電源遮断は、電源コネクタの雄側１０２が電動シート装置１００に装備され、電源コネクタの雌側１０３がリフトアップ装置１０４に取り付けられて、電動シート装置１００の連結及び切り離しと同時に電源供給及び電源遮断を行うようにしている。
【０００４】
【特許文献１】特開２０００−１２６２３４号公報（図９）
【発明の開示】
【発明が解決しようとする課題】
【０００５】
ところが、上記特許文献１に開示された従来のコネクタ構造においては、リフトアップ装置１０４から電動シート装置１００を離脱させた際に、電源コネクタの、特に雌側１０３が外部に露出しているために、その雌側１０３へ、異物が侵入したり、雨水が浸入したり、破損したりすることがあるので、コネクタ接続に支障をきたす虞がある。
【０００６】
本発明は、上述した事情に鑑みてなされたものであり、その目的は、フロアコネクタを保護して組付体を着脱する際に確実なコネクタ接続を簡単に行うことができるコネクタ構造を提供することにある。
【課題を解決するための手段】
【０００７】
上記目的は、本発明に係る下記（１）のコネクタ構造により達成される。
【０００８】
（１）車両のフロアに設けられたフロアコネクタと、前記フロアに着脱可能に組み付けられる組付体に設けられた相手側コネクタと、を備え、前記組付体の前記フロアへの組み付けに伴って、前記フロアコネクタと前記相手側コネクタとが自動的に接続されるコネクタ構造であって、前記フロアコネクタが、端子を収容したハウジングと、端子カバーと、を含み、前記端子カバーが、前記端子を挿通させる挿通孔を有し、前記挿通孔に前記端子を挿通させつつ前記端子の延在方向に進退可能に前記ハウジングに支持されて前記ハウジングの嵌合口を閉塞するように前記ハウジングに係止されており、前記相手側コネクタが、前記端子カバーの係止を解除する解除部材を有し、前記組付体が前記フロアへ組み付けられる際に、前記解除部材で前記端子カバーの係止を解除すると共に前記端子カバーを押圧して前記端子カバーを移動させることによって前記挿通孔を通して前記端子を露呈させ、収容した相手側端子を前記フロアコネクタの露呈した前記端子に接続させることを特徴とするコネクタ構造。
【発明の効果】
【０００９】
本発明によれば、組付体がフロアから取り外されている際には、フロアコネクタの端子カバーが当該フロアコネクタの嵌合口を閉塞しており、フロアコネクタへの異物の侵入や浸水が防止される。そして、組付体がフロアに組み付けられるのに伴って、相手側コネクタが端子カバーの係止を解除して端子カバーを移動させ、フロアコネクタの端子を露呈させており、フロアコネクタの端子と相手側コネクタの相手側端子との接続を可能としている。これにより、確実な接続を行うことができる。
【発明を実施するための最良の形態】
【００１０】
以下、図を参照して本発明の好適な実施形態を説明する。
【００１１】
図１は本発明に係るコネクタ構造の一実施形態を示す外観斜視図、図２は図１のコネクタ構造におけるフロアコネクタ周りの外観斜視図、図３は図１のコネクタ構造における相手側コネクタの外観斜視図、図４〜図６は図１のコネクタ構造における各部の動作を説明する断面図である。なお、以下の説明において、前、後、左、右は、車体の方向に準じて記載するものとし、図１中の左方前側が車体の前方である。
【００１２】
図１に示すように、本実施形態のコネクタ構造は、車両のフロア１上に設けられたフロアコネクタ１１と、フロア１に着脱可能に組付けられる組付体であるコンソールボックス４０に設けられた相手側コネクタ１２と、の接続構造である。
【００１３】
コンソールボックス４０は、底面の四隅に設けられフロア１側に向けて突出した４個の二股形状をなす連結用足４１が、フロア１上に配置されている軸形状をなす不図示の連結用足受に係合されることでフロア１に組付けられる。
【００１４】
フロアコネクタ１１は、フロア１のコンソールボックス４０の設置箇所に対応した位置に凹設されたコネクタ収容部２内に埋設されており、そのハウジングは、本実施形態においては、フロア１に一体に成形されている。
【００１５】
フロアコネクタ１１は、嵌合口１３(図４参照)を車室内に向けて配置されており、嵌合口１３に連なる端子収容室には、４個のフロアコネクタ端子１４（図４参照）が収容されている。フロアコネクタ端子１４には、不図示のフロアワイヤハーネスが接続される。
【００１６】
相手側コネクタ１２はコンソール底面にあって、左方前側の連結用足４１の近傍に形成されているコネクタ収容部４２内にあって嵌合口１５（図３参照）をフロアに向けるようにして組み付けられている。相手側コネクタ１２には、４個の相手側コネクタ端子１６（図４参照）が収容されている。相手側コネクタ端子１６は、不図示のコンソールワイヤハーネスが接続される。
【００１７】
さらに図２及び図４を参照して、フロアコネクタ１１は、端子カバー１７を含んでいる。端子カバー１７は、フロアコネクタ端子１４を挿通させる挿通孔１８を有し、挿通孔１８に端子を挿通させつつ嵌合口１３にあたる端子被覆位置と嵌合口１３に連なる端子収容室の底にあたる端子露出位置との間をフロアコネクタ端子１４の延在方向に進退可能に支持されており、端子被覆位置に係止される。
【００１８】
フロアコネクタ１１は、端子カバー１７を両側から挟むようにして端子被覆位置に係止する一対の係止片２０を備えている。係止片２０は、その先端部が互いに離反するように、その基端部が回動可能にハウジングに支持されている。端子カバー１７は、係止片２０に面する側部に係合突起２３が形成されている。端子カバー１７は、係合突起２３を係止片２０の先端部に係合させて端子被覆位置に係止される。端子被覆位置にある端子カバー１７は、フロアコネクタ端子１４の電気接続部２４を覆う。
【００１９】
図３に示すように、相手側コネクタ１２は、その嵌合口１５の側部に、フロア１に向けて突出していて先端部が傾斜面状に形成された４本の解除部材１９を有している。係止片２０の先端部には、解除部材１９を誘導する解除部材誘導用傾斜面２１が形成されており、解除部材１９は、コンソールボックス４０のフロア１への組み付けに伴って解除部材誘導用傾斜面２１を摺動しつつ一対の係止片２０の先端部が互いに離反するように係止片２０を押圧し、係止片２０による端子カバー１７の係止を解除する。
【００２０】
次に、以上のように構成されたコネクタ構造におけるフロアコネクタ１１と相手側コネクタ１２との接続動作について、図４〜図６を参照して順次説明する。
【００２１】
図４に示すコンソールボックス組み付け前において、フロアコネクタ１１は、係合突起２３を係止片２０に係合させて端子カバー１７が端子被覆位置に係止されており、フロア１の表面と同一面に配置されている端子カバー１７によって嵌合口１３は閉塞されており、フロアコネクタ端子１４の電気接続部２４は端子カバー１７により覆われて露呈していない。
【００２２】
そして、図５に示すように、コンソールボックス４０がフロア１に組み付けられるのに伴って、コンソールボックス４０の解除部材１９が、解除部材誘導用傾斜面２１を摺動しつつ一対の係止片２０の先端部が互いに離反するように係止片２０を押圧し、係止片２０による端子カバー１７の係止を解除する。
【００２３】
解除部材１９が係止片２０による端子カバー１７の係止を解除するのと共にコンソールボックス４０は嵌合口１５の周縁において端子カバー１７に当接して端子カバー１７を端子収容室の底にあたる端子露出位置に向けて押圧する。それにより、端子カバー１７は端子露出位置に移動し、挿通孔１８を通してフロアコネクタ端子１４の電気接続部２４を露呈させる。
【００２４】
そして、図６に示すように、フロアコネクタ端子１４の露呈した電気接続部２４は、嵌合口１５を通して相手側コネクタ１２内に進入し、相手側コネクタ端子１６に接続する。
【００２５】
以上説明したように、本実施形態のコネクタ構造によれば、コンソールボックス４０がフロア１から取り外されている際には、フロアコネクタ１１の端子カバー１７が当該フロアコネクタ１１の嵌合口１３を閉塞しており、フロアコネクタ１１への異物の侵入や浸水が防止される。そして、コンソールボックス４０がフロア１に組み付けられるのに伴って、相手側コネクタ１２が端子カバー１７の係止を解除して端子カバー１７を移動させ、フロアコネクタ１１の端子１４を露呈させており、フロアコネクタ１１の端子１４と相手側コネクタ１２の相手側端子１６との接続を可能としている。これにより、確実な接続を行うことができる。
【００２６】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００２７】
【図１】本発明に係るコネクタ構造の一実施形態を示す外観斜視図である。
【図２】図１のコネクタ構造におけるフロアコネクタ周りの外観斜視図である。
【図３】図１のコネクタ構造における相手側コネクタの外観斜視図である。
【図４】図１のコネクタ構造における各部の動作を説明する断面図である。
【図５】図１のコネクタ構造における各部の動作を説明する断面図である。
【図６】図１のコネクタ構造における各部の動作を説明する断面図である。
【図７】従来のコネクタ構造の概略図である。
【符号の説明】
【００２８】
１    フロア
１１    フロアコネクタ
１２    相手側コネクタ
１４    フロアコネクタ端子
１６    相手側コネクタ端子
１７    端子カバー
１９    解除部材
４０    コンソールボックス（組付体）
【図１】
2008192515.tif 000003
【図２】
2008192515.tif 000004
【図３】
2008192515.tif 000005
【図４】
2008192515.tif 000006
【図５】
2008192515.tif 000007
【図６】
2008192515.tif 000008
【図７】
2008192515.tif 000009